(57)【要約】【課題】トッププレートとトップフレームの隙間が生じるのを防ぐと共に、液体が流入しても制御部品などへ滴下しないようにすること。【解決手段】制御部品７を備えた基板ユニット６と、基板ユニット６を外郭ケース８で覆う本体９と、調理面を構成するトッププレート３と、外郭ケース８の上部開口部にフランジ部１０を設け、フランジ部１０に凸部甲１１をトッププレート３の端面より内側に配置するように設ける構成とすることにより、トップフレーム２とトッププレート３の間のシール材（接着剤）４が劣化しても隙間が生じるのを防ぐと共に、例え液体１２がトップフレーム２内に流入した場合でも、凸部甲１１により基板ユニット６へ滴下することを防ぎ、トップフレーム２とフランジ部１０の間を通り外郭ケース８の外側へ流出することとなる。【選択図】図１
2008210534.tif 000002
【特許請求の範囲】
【請求項１】
加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口部を覆うトップフレームと、前記上面開口部に設けられた外方に向かうフランジ部とを備え、前記フランジ部に設けられた凸部甲は、前記トッププレートの外縁より内側に配置される構成とした加熱調理器。
【請求項２】
フランジ部に凹形状の溝部を設ける構成とした請求項１に記載の加熱調理器。
【請求項３】
フランジ部に器体外方に向かって下向きの傾斜面を設ける構成とした請求項１に記載の加熱調理器。
【請求項４】
フランジ部とトッププレートの間にシール材甲を挟みこむ構成とした請求項１に記載の加熱調理器。
【請求項５】
加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口部を覆うトップフレームと、前記トップフレーム前方下面に固定された操作パネルとを備え、前記操作パネルに設けられた樋部は、前記トッププレートの前方端面を下方から受けて覆うように配置される構成とした加熱調理器。
【請求項６】
樋部は、トッププレートの全周端面を下方から受けて覆うように配置される構成とした請求項５に記載の加熱調理器。
【請求項７】
加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームと、前記トップフレーム下面に固定され前記トッププレートの後方端面を下方から受けて覆うように配置する支持金具とを備え、前記支持金具に設けられた凸部乙は、前記トッププレートの外縁より内側に配置され、かつ前記トッププレートの下面に当接する構成とした加熱調理器。
【請求項８】
加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームとを備え、前記トッププレートの下面とキッチンカウンターの間にシール材乙を挟みこむ構成とした加熱調理器。
【発明の詳細な説明】
【技術分野】
【０００１】
本発明は、調理容器を載置する調理面を構成するトッププレートを備えた加熱調理器に関するものである。
【背景技術】
【０００２】
従来、この種の加熱調理器は、トッププレート上で煮汁などが吹きこぼれたり、調理容器が転倒して液体が流出したりすると、流出液がトッププレートの周縁部の保持部から内部に浸入し、制御部品や電子回路および電気接続部に滴下し、誤動作する恐れがある。そのため、トッププレートの保持部には一般的にはシール材による接着を施している（例えば、特許文献１参照）。
【０００３】
図９は、従来の加熱調理器の概略を示すものである。図示してない調理容器を載置するトッププレート１０３は、その周縁部が接着材１０４を介してトップフレーム１０２に取り付けられ、トップフレーム１０２は、本体１０９に取り付けられている。
【特許文献１】特開平６−１８１０８９号公報
【発明の開示】
【発明が解決しようとする課題】
【０００４】
しかしながら、前記従来の構成では、接着材１０４による接着が熱や衝撃による劣化によりシール性を失い、トッププレート１０３とトップフレーム１０２の間に隙間が生じることがあった。
【０００５】
このような状態になると、トッププレート１０３上に煮汁などが吹きこぼれたり、調理容器が転倒して調理容器内の液体１１２が流出したりすると、トッププレート１０３とトップフレーム１０２の隙間から液体１１２が本体１０９の内部に流れ込み、制御部品１０７や制御基板の電子回路および電気接続部に滴下して、誤動作やトラッキングによる発煙・発火を生じる恐れがあった。
【０００６】
また、小間口キッチン用の加熱調理器などでは、外郭ケースのサイズがキッチンによって制限されているため制御基板の実装面積が広く取れず、基板端面と外郭ケースの側壁が非常に近くにあるものについては、液体が流れ込んだ場合に基板上に滴下する可能性が大きくなるという課題があった。
【０００７】
本発明は、前記従来の課題を解決するもので、液体がトップフレームとトッププレートの隙間に流入した場合でも、本体内部の制御部品や制御基板の電子回路および電気接続部への滴下を防ぎ、誤動作のない加熱調理器を提供することを目的とする。
【課題を解決するための手段】
【０００８】
前記従来の課題を解決するために、本発明は、加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームと、前記外郭ケースの上面開口部に外方に向かうフランジ部とを備え、前記フランジ部に凸部甲を設け、前記凸部甲をトッププレートの外縁より内側に配置する構成とした加熱調理器とするものである。
【０００９】
これによって、トップフレームとトッププレートの接着が劣化した場合でも、トッププレートが脱落しトップフレームとの間に隙間が生じるのを防ぐと共に、例え隙間が生じトッププレート上から液体が浸入した場合でも、フランジ部の凸部甲により器体外方に液体を誘導するので、基板ユニットへの防水構成とすることができる。
【００１０】
また、本発明は、加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームと、前記トップフレーム前方下面に固定された操作パネルとを備え、前記操作パネルに樋部を設け、前記樋部を前記トッププレートの前方端面を下方から受けて覆うように配置してなる構成とした加熱調理器とするものである。
【００１１】
これによって、トップフレームとトッププレートの接着が劣化した場合でも、トッププレートが脱落しトップフレームとの間に隙間が生じるのを防ぐと共に、例え隙間が生じトッププレート上から液体が浸入した場合でも、操作パネル部の樋部により液体を誘導するので、基板ユニットへの防水構成とすることができる。
【００１２】
また、本発明は、加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームと、前記トップフレーム下面に固定され前記トッププレートの後方端面を下方から受けて覆うように配置する支持金具とを備え、前記支持金具に凸部乙を設け、前記凸部乙がトッププレートの外縁より内側に配置され、かつ前記トッププレートの下面に当接する構成とした加熱調理器とするものである。
【００１３】
これによって、トップフレームとトッププレートの接着が劣化した場合でも、トッププレートが脱落しトップフレームとの間に隙間が生じるのを防ぐと共に、例え隙間が生じトッププレート上から液体が浸入した場合でも、支持金具の凸部乙により液体を誘導するので、基板ユニットへの防水構成とすることができる。
【００１４】
また、本発明は、加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームとを備え、前記トッププレートの下面とキッチンカウンターの間にシール材乙を挟みこむ構成とした加熱調理器とするものである。
【００１５】
これによって、トップフレームとトッププレートの接着が劣化した場合でも、トッププレートが脱落しトップフレームとの間に隙間が生じるのを防ぐと共に、例え隙間が生じトッププレート上から液体が浸入した場合でも、シール材乙により器体内部に液体が滴下するのを防ぐので、基板ユニットへの防水構成とすることができる。
【発明の効果】
【００１６】
本発明の加熱調理器は、トップフレームとトッププレートの接着が劣化した場合でも隙間が生じるのを防ぐと共に、例えトップフレームとトッププレートの隙間が生じた場合、基板端面と外郭ケースの側壁が非常に近くにあるものであっても、基板上に液体が滴下することなく、誤動作やトラッキングによる発煙・発火を防ぐことができる。
【発明を実施するための最良の形態】
【００１７】
第１の発明は、加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口部を覆うトップフレームと、前記上面開口部に設けられた外方に向かうフランジ部とを備え、前記フランジ部に設けられた凸部甲は、前記トッププレートの外縁より内側に配置される構成とした加熱調理器とすることにより、例えトップフレームとトッププレートの接着が劣化した場合でも、凸部がトッププレートを保持するように作用し、トッププレートが脱落しトップフレームとの間に隙間が生じるのを防ぐと共に、例え隙間が生じトッププレート上から液体が浸入した場合でも、フランジ部の凸部甲が器体外方に液体を誘導するように作用するので、基板ユニットへの防水構成とすることができ、誤動作やトラッキングによる発煙・発火を防ぐことができる。
【００１８】
第２の発明は、特に第１の発明において、フランジ部に凹形状の溝部を設ける構成とした加熱調理器とすることにより、例えトップフレームとトッププレートの接着が劣化し隙間が生じトッププレート上から液体が浸入した場合でも、フランジ部の溝部が液体を誘導するように作用するので、基板ユニットへの防水構成とすることができ、誤動作やトラッキングによる発煙・発火を防ぐことができる。
【００１９】
第３の発明は、特に第１の発明において、フランジ部に外方に向かって下向きの傾斜面を設ける構成とした加熱調理器とすることにより、例えトップフレームとトッププレートの接着が劣化し隙間が生じトッププレート上から液体が浸入した場合でも、フランジ部の傾斜面が液体を器体外方へ誘導するように作用するので、基板ユニットへの防水構成とすることができ、誤動作やトラッキングによる発煙・発火を防ぐことができる。
【００２０】
第４の発明は、特に第１の発明において、フランジ部とトッププレートの間にシール材甲を挟みこむ構成とした加熱調理器とすることにより、例えトップフレームとトッププレートの接着が劣化した場合でも、シール材甲がトッププレートを保持するように作用し、トッププレートが脱落しトップフレームとの間に隙間が生じるのを防ぐと共に、例え隙間が生じトッププレート上から液体が浸入した場合でも、シール材甲が器体内部に液体が浸入するのを防ぐように作用し、基板ユニットへの防水構成とすることができ、誤動作やトラッキングによる発煙・発火を防ぐことができる。
【００２１】
第５の発明は、加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームと、前記トップフレーム前方下面に固定された操作パネルとを備え、前記操作パネルに設けられた樋部は、前記トッププレートの前方端面を下方から受けて覆うように配置される構成とした加熱調理器とすることにより、例えトップフレームとトッププレートの接着が劣化した場合でも、樋部がトッププレートを保持するように作用し、トッププレートが脱落しトップフレームとの間に隙間が生じるのを防ぐと共に、例え隙間が生じトッププレート上から液体が浸入した場合でも、操作パネル部の樋部が液体を誘導するように作用し、基板ユニットへの防水構成とすることができ、誤動作やトラッキングによる発煙・発火を防ぐことができる。
【００２２】
第６の発明は、特に、第５の発明において、樋部をトッププレートの全周端面を下方から受けて覆うように配置する構成とした加熱調理器とすることにより、例えトップフレームとトッププレートの接着が劣化した場合でも、樋部がトッププレートを保持するように作用し、トッププレートが脱落しトップフレームとの間に隙間が生じるのを防ぐと共に、例え隙間が生じトッププレート上から液体が浸入した場合でも、操作パネル部の樋部が液体を誘導するように作用し、基板ユニットへの防水構成とすることができ、誤動作やトラッキングによる発煙・発火を防ぐことができる。
【００２３】
第７の発明は、加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームと、前記トップフレーム下面に固定され前記トッププレートの後方端面を下方から受けて覆うように配置する支持金具とを備え、前記支持金具に設けられた凸部乙は、前記トッププレートの外縁より内側に配置され、かつ前記トッププレートの下面に当接する構成とした加熱調理器とすることにより、例えトップフレームとトッププレートの接着が劣化した場合でも、支持金具がトッププレートを保持するように作用し、トッププレートが脱落しトップフレームとの間に隙間が生じるのを防ぐと共に、例え隙間が生じトッププレート上から液体が浸入した場合でも、支持金具の凸部乙が液体を誘導するように作用し、基板ユニットへの防水構成とすることができ、誤動作やトラッキングによる発煙・発火を防ぐことができる。
【００２４】
第８の発明は、加熱装置を制御する制御部品を備えた基板ユニットと、前記基板ユニットを覆う外郭ケースと、前記基板ユニットの上面に配置し調理面を構成するトッププレートと、前記トッププレートの周縁部を覆い、かつ前記外郭ケースの上面開口を覆うトップフレームとを備え、前記トッププレートの下面とキッチンカウンターの間にシール材乙を挟みこむ構成とした加熱調理器とすることにより、例えトップフレームとトッププレートの接着が劣化した場合でも、シール材乙がトッププレートを保持するように作用し、トッププレートが脱落しトップフレームとの間に隙間が生じるのを防ぐと共に、例え隙間が生じトッププレート上から液体が浸入した場合でも、器体内部に液体が浸入するのを防ぐように作用し、基板ユニットへの防水構成とすることができ、誤動作やトラッキングによる発煙・発火を防ぐことができる。
【００２５】
以下、本発明の実施の形態について、図面を参照しながら説明する。なお、この実施の
形態によって本発明が限定されるものではない。
【００２６】
（実施の形態１）
図１は、本発明の第１の実施の形態における加熱調理器の主要断面図を示すものである。
【００２７】
図１に示すように、加熱調理器としては、誘導加熱調理器を例示する。
【００２８】
図１において、加熱調理器１は本体９の上面開口を覆って装備し調理面を構成するトッププレート３と、トッププレート３の周縁部を覆い、かつ外郭ケース８の上面開口を覆うトップフレーム２を備え、トッププレート３はトップフレーム２下面に接着材４により取り付けられている。
【００２９】
加熱コイルよりなる加熱装置５をトッププレート３の下方に配置し、基板ユニット６はトッププレート３の下方に制御部品７や電子回路および電気接続部を装備して配置される。加熱装置５および基板ユニット６を外郭ケース８で覆い、本体９を構成している。そして、外郭ケース８の上部開口部に本体の外方に向かってフランジ部１０を設け、そのフランジ部１０に凸部甲１１を設け、凸部甲１１をトッププレート３の外縁より内側に配置させる構成としている。
【００３０】
以上のように構成された加熱調理器について、以下その動作、作用を説明する。
【００３１】
調理面上にて加熱された液体１２が吹きこぼれたり、トッププレート３上で調理容器などを転倒させて、中の液体１２がこぼれたりする場合がある。このような場合、通常、トッププレート３はトップフレーム２と接着材４により隙間無く接着されており、本体９内へ液体１２の流入を防止している。
【００３２】
しかし、接着材４の劣化によりトッププレート３とトップフレーム２の間に隙間が生じ、液体１２は本体９内に流入しようとする。流入した液体１２は制御部品７などが配置された基板ユニット６に滴下し、誤動作やトラッキングによる発煙・発火を生じる恐れがある。
【００３３】
しかし、本実施の形態では、外的要因により接着材４が劣化した場合でも、フランジ部１０の凸部甲１１によってトッププレート３を保持することで、トッププレート３とトップフレーム２の間に隙間が生じるのを防ぐことができる。また、例えトッププレート３とトップフレーム２の間に隙間が生じたとしても、その隙間に流れる液体１２はフランジ部１０上に滴下し、凸部甲１１によって外郭ケース８の内側に流れることなく、トップフレーム２とフランジ部１０の間を通り外郭ケース８の外側へ流出することとなる。
【００３４】
これらの作用によって、本体９内へ流れ制御部品７などへの滴下することを防ぎ、誤動作やトラッキングによる発煙・発火などを防ぐことができ品質および安全性を維持する効果を有する。
【００３５】
（実施の形態２）
図２は、本発明の第２の実施の形態における加熱調理器の要部断面図である。なお、本実施の形態２の基本構成は実施の形態１と同様であるので、同様な部分の説明は省略し、相違点を中心に説明する。また、実施の形態１と同一要素には同じ符号を付してその説明を省略する。
【００３６】
図２に示すように、本実施の形態においては、外郭ケース８の上部開口部に本体の外方に向かってフランジ部１０を設け、そのフランジ部１０に凹形状の溝部２１を設ける構成としている。
【００３７】
本実施の形態では、外的要因によりトッププレート３とトップフレーム２の間に隙間が生じた場合でも、その隙間に流れる液体１２はフランジ部１０上に滴下し、溝部２１において蒸発させることで外郭ケース８の内側に流れることを防ぐことができ、本体９内へ流れ制御部品７などへの滴下することを防ぎ、誤動作やトラッキングによる発煙・発火などを防ぐことができ品質および安全性を維持する効果を有する。
【００３８】
（実施の形態３）
図３は、本発明の第３の実施の形態における加熱調理器の要部断面図である。なお、本実施の形態３の基本構成は実施の形態１と同様であるので、同様な部分の説明は省略し、相違点を中心に説明する。また、実施の形態１と同一要素には同じ符号を付してその説明を省略する。
【００３９】
図３に示すように、本実施の形態においては、外郭ケース８の上部開口部に本体の外方に向かってフランジ部１０を設け、そのフランジ部１０に本体外方に向かって下向きの傾斜面３１を設ける構成としている。
【００４０】
本実施の形態では、外的要因によりトッププレート３とトップフレーム２の間に隙間が生じた場合でも、その隙間に流れる液体１２はフランジ部１０上に滴下し、傾斜面３１によって外郭ケース８の外側へ誘導し、フランジ部１０とトップフレーム２の間を通り外郭ケース８の外側へ流出させることで、本体９内へ流れ制御部品７などへの滴下することを防ぎ、誤動作やトラッキングによる発煙・発火などを防ぐことができ品質および安全性を維持する効果を有する。
【００４１】
（実施の形態４）
図４は、本発明の第４の実施の形態における加熱調理器の要部断面図である。なお、本実施の形態４の基本構成は実施の形態１と同様であるので、同様な部分の説明は省略し、相違点を中心に説明する。また、実施の形態１と同一要素には同じ符号を付してその説明を省略する。
【００４２】
図４に示すように、本実施の形態においては、外郭ケース８の上部開口部に本体の外方に向かってフランジ部１０を設け、そのフランジ部１０とトッププレート３の間にシール材甲４１を挟みこむ構成としている。
【００４３】
実施の形態では、外的要因により接着材４が劣化した場合でも、シール材甲４１によってトッププレート３を保持することで、トッププレート３とトップフレーム２の間に隙間が生じるのを防ぐことができる。また、例えトッププレート３とトップフレーム２の間に隙間が生じたとしても、その隙間に流れる液体１２はフランジ部１０上に滴下し、シール材甲４１によって外郭ケース８の内側に流れることを防ぎ、トップフレーム２と外郭ケース８の間を通り外郭ケース８の外側へ流出させることとなる。
【００４４】
これらの作用によって、本体９内へ流れ制御部品７などへの滴下することを防ぎ、誤動作やトラッキングによる発煙・発火などを防ぐことができ品質および安全性を維持する効果を有する。また、シール材甲４１は弾性体であっても、剛体であっても同じ効果を有する。
【００４５】
（実施の形態５）
図５は、本発明の第５の実施の形態における加熱調理器の要部断面図である。なお、本実施の形態５の基本構成は実施の形態１と同様であるので、同様な部分の説明は省略し、相違点を中心に説明する。また、実施の形態１と同一要素には同じ符号を付してその説明を省略する。
【００４６】
図５に示すように、本実施の形態においては、トップフレーム２前方下面に固定された操作パネル５１を具備しており、操作パネル５１には樋部甲５２を設ける。樋部甲５２をトッププレート３の前方端面に配置し、トッププレート３の端面から下に流れる液体１２が必ず樋部甲５２に滴下する構成としている。
【００４７】
本実施の形態では、外的要因によりトッププレート３とトップフレーム２の間に隙間が生じ液体１２が流入しても、トッププレート３の端面から流れる液体１２を操作パネル４１の樋部甲５２で受けて蒸発させることにより、本体９内部へ流れ制御部品７などへの滴下することを防ぎ、誤動作やトラッキングによる発煙・発火などを防ぐことができ品質および安全性を維持する効果を有する。また、操作パネル５１の樋部甲５２をトッププレート３に当接にさせ、トッププレート３を保持することで、トッププレート３とトップフレーム２の隙間が生じることを防ぐことができる。
【００４８】
（実施の形態６）
図６は、本発明の第６の実施の形態における加熱調理器の要部断面図である。なお、本実施の形態６の基本構成は実施の形態５と同様であるので、同様な部分の説明は省略し、相違点を中心に説明する。また、実施の形態５と同一要素には同じ符号を付してその説明を省略する。
【００４９】
図６に示すように、本実施の形態においては、操作パネル５１にトッププレート３の全周端面を覆うように配置する樋部乙６１を設け、トッププレート３の端面から下に流れる液体１２が必ず樋部乙６１に滴下する構成としている。
【００５０】
本実施の形態では、外的要因によりトッププレート３とトップフレーム２の間に隙間が生じ液体１２が流入しても、樋部乙６１がトッププレート３の全周を覆うことで、たとえトッププレートが円形などであっても、流れる液体を樋部で受けて蒸発させることで、本体９内部へ流れ制御部品７などへの滴下することを防ぎ、誤動作やトラッキングによる発煙・発火などを防ぐことができ品質および安全性を維持する効果を有する。また、操作パネル５１の樋部乙６１をトッププレート３に当接にさせ、トッププレート３を保持することで、トッププレート３とトップフレーム２の隙間が生じることを防ぐことができる。
【００５１】
（実施の形態７）
図７は、本発明の第７の実施の形態における加熱調理器の要部断面図である。なお、本実施の形態７の基本構成は実施の形態１と同様であるので、同様な部分の説明は省略し、相違点を中心に説明する。また、実施の形態１と同一要素には同じ符号を付してその説明を省略する。
【００５２】
図７に示すように、本実施の形態においては、トップフレーム２下面に支持金具７１が固定され、支持金具７１はトッププレート３の下面に配置し支持する。支持金具７１に設けた凸部乙７２がトッププレート３の外縁より内側に配置され、凸部乙７２がトッププレート３の下面に当接し、トッププレート３の端面より下に流れる液体１２が支持金具７１に導かれ、少なくとも基板ユニット６の外縁より外側に滴下する構成としている。
【００５３】
本実施の形態では、外的要因により接着材４が劣化した場合でも、支持金具７１によってトッププレート３を保持することで、トッププレート３とトップフレーム２の間に隙間が生じるのを防ぐことができる。また、例えトッププレート３とトップフレーム２の間に隙間が生じたとしても、その隙間に流れる液体１２は支持金具７１上に滴下し支持金具７１上で蒸発させるあるいは外郭ケース８の外まで導くことで、凸部乙７２によって外郭ケース８の内側に流れることを防ぐことができる。
【００５４】
これらの作用によって、本体９内へ流れ制御部品７などへの滴下することを防ぎ、誤動作やトラッキングによる発煙・発火などを防ぐことができ品質および安全性を維持する効果を有する。
【００５５】
（実施の形態８）
図８は、本発明の第８の実施の形態における加熱調理器の要部断面図である。なお、本実施の形態８の基本構成は実施の形態１と同様であるので、同様な部分の説明は省略し、相違点を中心に説明する。また、実施の形態１と同一要素には同じ符号を付してその説明を省略する。
【００５６】
図８に示すように、本実施の形態においては、トッププレート３の下面とキッチンカウンター８１の間にシール材乙８２を挟みこむ構成としている。
【００５７】
本実施の形態では、外的要因により接着材４が劣化した場合でも、シール材乙８２によってトッププレート３を保持することで、トッププレート３とトップフレーム２の間に隙間が生じるのを防ぐことができる。また、例えトッププレート３とトップフレーム２の間に隙間が生じたとしても、その隙間に流れる液体１２はシール材乙８２によって外郭ケース８の内側に流れることを防ぎ、トッププレート３とトップフレーム２の間を通りキッチンカウンター８１上に流出することとなる。
【００５８】
これらの作用によって、本体９内へ流れ制御部品７などへの滴下することを防ぎ、誤動作やトラッキングによる発煙・発火などを防ぐことができ品質および安全性を維持する効果を有する。
【００５９】
また、キッチンカウンター上に流出するので、使用者が流出したものに気づき清掃しやすい。
【産業上の利用可能性】
【００６０】
以上のように、本発明にかかる加熱調理器は、トッププレート上から流れる液体の制御部品などへの滴下を防止し、誤動作を防ぐことができるので、誘導加熱調理器はもとより、トッププレートを有するハロゲンヒーターやガス調理器などの加熱調理器にも適用することができる。
【図面の簡単な説明】
【００６１】
【図１】本発明の実施の形態１における加熱調理器の要部断面図
【図２】本発明の実施の形態２における加熱調理器の要部断面図
【図３】本発明の実施の形態３における加熱調理器の要部断面図
【図４】本発明の実施の形態４における加熱調理器の要部断面図
【図５】本発明の実施の形態５における加熱調理器の要部断面図
【図６】本発明の実施の形態６における加熱調理器の斜視図
【図７】本発明の実施の形態７における加熱調理器の要部断面図
【図８】本発明の実施の形態８における加熱調理器の要部断面図
【図９】従来の加熱調理器の要部断面図
【符号の説明】
【００６２】
１  加熱調理器
２  トップフレーム
３  トッププレート
４  接着材
５  加熱装置
６  基板ユニット
７  制御部品
８  外郭ケース
９  本体
１０  フランジ部
１１  凸部甲
１２  液体
２１  溝部
３１  傾斜面
４１  シール材甲
５１  操作パネル
５２  樋部甲
６１  樋部乙
７１  支持金具
７２  凸部乙
８１  キッチンカウンター
８２  シール材乙
【図１】
2008210534.tif 000003
【図２】
2008210534.tif 000004
【図３】
2008210534.tif 000005
【図４】
2008210534.tif 000006
【図５】
2008210534.tif 000007
【図６】
2008210534.tif 000008
【図７】
2008210534.tif 000009
【図８】
2008210534.tif 000010
【図９】
2008210534.tif 000011